【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
動画を形成する第１の画像データと第２の画像データを生成する画像データ生成部と、
上記各画像データに重畳するノイズパターンを生成するノイズパターン生成部と、
上記生成されたノイズを上記第１及び第２の画像データに重畳する合成処理部と、
上記合成処理部で処理された第１の画像データと第２の画像データの各画像フレーム間の画像データを圧縮したデータを生成する画像圧縮部と、
上記圧縮された画像データを記録する記録部と、
を具備し、
上記ノイズパターン生成部は、第１の画像データと第２の画像データのそれぞれに第１のノイズパターンと、上記第１のノイズパターンとは異なる第２のノイズパターンを生成し、
上記合成処理部は、上記第１の画像データに上記第１のノイズパターンを合成し、上記第２の画像データに上記第２のノイズパターンを合成する、
ことを特徴とする画像処理装置。
【請求項２】
上記画像圧縮部における画像圧縮は基準となるブロックサイズの単位で行うものであり、
上記ノイズパターンは、上記第１の画像の画像フレーム上の所定位置のブロックに合成されたノイズパターンと同一のノイズを、上記第２の画像の画像フレーム上の対応する位置近傍で、且つ上記第１の画像と第２の画像の相関を調べる領域内の位置に合成することを特徴とする請求項１に記載の画像処理装置。
【請求項３】
上記ノイズパターン生成部は、上記画像フレームよりも大きい領域を有するノイズパターンを生成し、上記第１のノイズパターンの切り出し領域と、第２のノイズパターンの切り出し領域とが異なる領域から切り出して生成することを特徴とする請求項１に記載の画像処理装置。
【請求項４】
上記ノイズパターン生成部で生成される第２のノイズパターンは、上記第１の画像データに重畳した上記第１のノイズパターンの一部をコピーしたノイズパターンであることを特徴とする請求項２または３に記載の画像処理装置。
【請求項５】
上記ノイズパターン生成部で生成されるノイズパターンは、参照フレーム重畳したノイズパターンにおいて一部のノイズパターンを入替または回転したノイズパターンであることを特徴とする請求項４に記載の画像処理装置。
【請求項６】
上記ノイズパターン生成部で生成されるノイズパターンの少なくとも一部分は、参照フレームに重畳したノイズパターンの少なくとも一部分を移動させたノイズパターンであることを特徴とする請求項３または４に記載の画像処理装置。
【請求項７】
上記画像圧縮部は、ＭＰＥＧに準拠したフレーム内圧縮と複数のフレーム間の相関を用いてフレーム相関を行うものであり、上記ノイズパターンを重畳した画像データを圧縮する場合は、上記合成処理部でノイズパターンを合成しない画像を圧縮する場合に対して、フレーム間圧縮処理したデータを多く、または上記フレーム内圧縮を行うフレーム間隔を短くすることを特徴とする請求項１ないし６に記載の画像処理装置。
【請求項８】
上記画像圧縮部における画像圧縮は基準となるブロックサイズの単位で行うものであり、
上記ノイズパターンは、上記第１の画像の画像フレーム上の所定位置のブロックに合成されたノイズパターンと同一のノイズを、上記第２の画像の画像フレーム上で、上記第１の画像フレーム上の所定位置と異なる位置に合成することを特徴とする請求項１に記載の画像処理装置。
【請求項９】
動画を形成する第１の画像データと第２の画像データを生成する画像データ生成ステップと、
上記各画像データに重畳するノイズパターンを生成するノイズパターン生成ステップと、
上記生成されたノイズを上記第１及び第２の画像データに重畳する合成処理ステップと、
上記合成処理ステップで処理された第１の画像データと第２の画像データの各画像フレーム間の画像データを圧縮したデータを生成する画像圧縮ステップと、
上記圧縮された画像データを記録する記録ステップと、
を具備し、
上記ノイズパターン生成ステップは、第１の画像データと第２の画像データのそれぞれに第１のノイズパターンと、上記第１のノイズパターンとは異なる第２のノイズパターンを生成し、
上記合成処理ステップは、上記第１の画像データに上記第１のノイズパターンを合成し、上記第２の画像データに上記第２のノイズパターンを合成する、
ことを特徴とする画像処理方法。
【請求項１０】
動画を形成する第１の画像データと第２の画像データを生成する画像データ生成ステップと、
上記各画像データに重畳するノイズパターンを生成するノイズパターン生成ステップと、
上記生成されたノイズを上記第１及び第２の画像データに重畳する合成処理ステップと、
上記合成処理ステップで処理された第１の画像データと第２の画像データの各画像フレーム間の画像データを圧縮したデータを生成する画像圧縮ステップと、
上記圧縮された画像データを記録する記録ステップと、
を具備し、
上記ノイズパターン生成ステップは、第１の画像データと第２の画像データのそれぞれに第１のノイズパターンと、上記第１のノイズパターンとは異なる第２のノイズパターンを生成し、
上記合成処理ステップは、上記第１の画像データに上記第１のノイズパターンを合成し、上記第２の画像データに上記第２のノイズパターンを合成する、
ことをコンピュータに実行させること特徴とするプログラム。
【手続補正２】
【補正対象書類名】明細書
【補正対象項目名】発明の名称
【補正方法】変更
【補正の内容】
【発明の名称】画像処理装置、画像処理方法、およびプログラム
【手続補正３】
【補正対象書類名】明細書
【補正対象項目名】０００１
【補正方法】変更
【補正の内容】
【０００１】
本発明は、ノイズパターンを重畳した複数の画像データを圧縮可能な画像処理装置、画像処理方法、およびプログラムに関する。
【手続補正４】
【補正対象書類名】明細書
【補正対象項目名】０００８
【補正方法】変更
【補正の内容】
【０００８】
本発明は、このような事情を鑑みてなされたものであり、動画として違和感のないノイズを重畳した場合であっても、同等画質であれば高圧縮に、同等圧縮率であれば高画質の動画データを生成できるようにした画像処理装置、画像処理方法、およびプログラムを提供することを目的とする。
【手続補正５】
【補正対象書類名】明細書
【補正対象項目名】００１１
【補正方法】変更
【補正の内容】
【００１１】
第３の発明に係わる画像処理装置は、上記第１の発明において、上記ノイズパターン生成部は、上記画像フレームよりも大きい領域を有するノイズパターンを生成し、上記第１のノイズパターンの切り出し領域と、第２のノイズパターンの切り出し領域とが異なる領域から切り出して生成する。
【手続補正６】
【補正対象書類名】明細書
【補正対象項目名】００１４
【補正方法】変更
【補正の内容】
【００１４】
第７の発明に係わる画像処理装置は、上記第１ないし第６の発明において、上記画像圧縮部は、ＭＰＥＧに準拠したフレーム内圧縮と複数のフレーム間の相関を用いてフレーム間相関を行うものであり、上記ノイズパターンを重畳した画像データを圧縮する場合は、上記合成処理部でノイズパターンを合成しない画像を圧縮する場合に対して、フレーム間圧縮処理したデータを多く、または上記フレーム内圧縮を行うフレーム間隔を短くする。
第８の発明に係わる画像処理装置は、上記第１の発明において、上記画像圧縮部における画像圧縮は基準となるブロックサイズの単位で行うものであり、上記ノイズパターンは、上記第１の画像の画像フレーム上の所定位置のブロックに合成されたノイズパターンと同一のノイズを、上記第２の画像の画像フレーム上で、上記第１の画像フレーム上の所定位置と異なる位置に合成する。
第９の発明に係わる画像処理方法は、動画を形成する第１の画像データと第２の画像データを生成する画像データ生成ステップと、上記各画像データに重畳するノイズパターンを生成するノイズパターン生成ステップと、上記生成されたノイズを上記第１及び第２の画像データに重畳する合成処理ステップと、上記合成処理ステップで処理された第１の画像データと第２の画像データの各画像フレーム間の画像データを圧縮したデータを生成する画像圧縮ステップと、上記圧縮された画像データを記録する記録ステップと、を具備し、上記ノイズパターン生成ステップは、第１の画像データと第２の画像データのそれぞれに第１のノイズパターンと、上記第１のノイズパターンとは異なる第２のノイズパターンを生成し、上記合成処理ステップは、上記第１の画像データに上記第１のノイズパターンを合成し、上記第２の画像データに上記第２のノイズパターンを合成する。
第１０の発明に係わるプログラムは、動画を形成する第１の画像データと第２の画像データを生成する画像データ生成ステップと、上記各画像データに重畳するノイズパターンを生成するノイズパターン生成ステップと、上記生成されたノイズを上記第１及び第２の画像データに重畳する合成処理ステップと、上記合成処理ステップで処理された第１の画像データと第２の画像データの各画像フレーム間の画像データを圧縮したデータを生成する画像圧縮ステップと、上記圧縮された画像データを記録する記録ステップと、を具備し、上記ノイズパターン生成ステップは、第１の画像データと第２の画像データのそれぞれに第１のノイズパターンと、上記第１のノイズパターンとは異なる第２のノイズパターンを生成し、上記合成処理ステップは、上記第１の画像データに上記第１のノイズパターンを合成し、上記第２の画像データに上記第２のノイズパターンを合成する、ことをコンピュータに実行させる。
【手続補正７】
【補正対象書類名】明細書
【補正対象項目名】００１５
【補正方法】変更
【補正の内容】
【００１５】
本発明によれば、動画として違和感のないノイズを重畳した場合であっても、同等画質であれば高圧縮に、同等圧縮率であれば高画質の動画データを生成できるようにした画像処理装置、画像処理方法、およびプログラムを提供することができる。